(57)【要約】【課題】高温の風やふとん乾燥マットが人に接触し続けることを防止できるふとん乾燥機を提供する。【解決手段】ふとん乾燥マット３に風を送る送風機８と、風を加熱する発熱体９と、ふとん乾燥マット３近傍の検出領域における人の存否を検知する人感センサ１５と、人感センサ１５が人を検知した場合に、風の加熱を停止するように発熱体９を制御する制御部１６と、を備えた。これによって、高温の風やふとん乾燥マット３が人に接触し続けることを防止できる。【選択図】図１
2012210314.tif 000002
【特許請求の範囲】
【請求項１】
ふとん乾燥マットに風を送る送風機と、
前記風を加熱する発熱体と、
前記ふとん乾燥マット近傍の検出領域における人の存否を検知する人感センサと、
前記人感センサが人を検知した場合に、前記風の加熱を停止するように前記発熱体を制御する制御部と、
を備えたふとん乾燥機。
【請求項２】
前記制御部は、前記人感センサが人を検知した場合に、前記ふとん乾燥マットに前記風を送り続けるように前記送風機を制御する請求項１記載のふとん乾燥機。
【請求項３】
前記制御部は、前記人感センサが人を検知してから一定時間経過した後に前記人感センサが人を検知していない場合に、前記風の加熱を再開するように前記発熱体を制御する請求項１又は請求項２に記載のふとん乾燥機。
【請求項４】
前記人感センサは、前記検出領域が変化するように設けられた請求項１〜請求項３のいずれかに記載のふとん乾燥機。
【請求項５】
前記人感センサは、前記検出領域の方向が自動で変化するように設けられた請求項４記載のふとん乾燥機。
【発明の詳細な説明】
【技術分野】
【０００１】
この発明は、ふとん乾燥機に関するものである。
【背景技術】
【０００２】
ふとん乾燥機として、送風圧力を圧力センサで検知して、送風温度を制御するものが提案されている。このふとん乾燥機によれば、ふとんを乾燥させている最中にふとん乾燥マット上で人が就寝してしまった場合、ふとん乾燥マットに高温の風が送られることを防止し得る（例えば、特許文献１参照）。
【先行技術文献】
【特許文献】
【０００３】
【特許文献１】特開２００６−３４６０５３号公報
【発明の概要】
【発明が解決しようとする課題】
【０００４】
しかしながら、特許文献１記載のものにおいては、ゆっくりした動作の高齢者、身長が低くて体重の軽い子供、小動物等がふとん乾燥マット上に乗っても、圧力センサが反応しない場合がある。この場合、高温の風がふとん乾燥マットに送り続けられる。また、人がふとん乾燥マットの表面に静かに接触しただけでも、高温の風がふとん乾燥マットに送り続けられる。これらの場合、高温の風やふとん乾燥マットが人に接触し続ける。
【０００５】
この発明は、上述のような課題を解決するためになされたもので、その目的は、高温の風やふとん乾燥マットが人に接触し続けることを防止できるふとん乾燥機を提供することである。
【課題を解決するための手段】
【０００６】
この発明に係るふとん乾燥機は、ふとん乾燥マットに風を送る送風機と、前記風を加熱する発熱体と、前記ふとん乾燥マット近傍の検出領域における人の存否を検知する人感センサと、前記人感センサが人を検知した場合に、前記風の加熱を停止するように前記発熱体を制御する制御部と、を備えたものである。
【発明の効果】
【０００７】
この発明によれば、高温の風やふとん乾燥マットが人に接触し続けることを防止できる。
【図面の簡単な説明】
【０００８】
【図１】この発明の実施の形態１におけるふとん乾燥機の斜視図である。
【図２】この発明の実施の形態１におけるふとん乾燥機の斜視図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるふとん乾燥機の斜視図である。
【００１１】
図１において、１は敷きふとんである。敷きふとん１の上面には、掛けふとん２が掛けられる。敷きふとん１と掛けふとん２との間には、ふとん乾燥マット３が挟まれる。ふとん乾燥マット３は、チューブ状又は袋状の軟質材で形成される。ふとん乾燥マット３の一縁部には、差込口４が形成される。差込口４には、面ファスナ５が設けられる。ふとん乾燥マット３の表面及び裏面の全面又は一部には、開口部（図示せず）が設けられる。
【００１２】
６はふとん乾燥機本体である。ふとん乾燥機本体６には、温風供給装置７が内蔵される。温風供給装置７は、送風機８と発熱体９とを備える。ふとん乾燥機本体６には、安全装置（図示せず）が設けられる。安全装置は、過温度防止装置（図示せず）や過電流検知装置（図示せず）等を備える。
【００１３】
ふとん乾燥機本体６の前方上部には、ジャバラホース１０が接続される。ジャバラホース１０の先端には、吹出口１１が設けられる。ふとん乾燥機本体６の上面の中央一側には、操作部１２が設けられる。操作部１２には、複数のスイッチ１３が設けられる。スイッチ１３は、「ふとん乾燥」、「ダニ退治」、「送風」、「とりけし」などの運転コースを選択するためのものである。
【００１４】
ふとん乾燥機本体６の上面の後部には、ランプ１４が設けられる。ふとん乾燥機本体６の上面の前部には、人感センサ１５が設けられる。操作部１２、ランプ１４、人感センサ１５は、制御部１６に接続される。制御部１６は、操作部１２で操作されたスイッチ１３の種類に基づいて、温風供給装置７等を制御する機能を備える。
【００１５】
次に、図２を用いて、人感センサ１５を具体的に説明する。
図２はこの発明の実施の形態１におけるふとん乾燥機の斜視図である。
【００１６】
図２に示すように、人感センサ１５は、ガイド部１５ａ、搭載部１５ｂ、センサ部１５ｃからなる。
【００１７】
ガイド部１５ａは、一対の棒体からなる。ガイド部１５ａは、発熱体９とジャバラホース１０との間の風路（図示せず）を避けるようにふとん乾燥機本体６の両側に支持される。ガイド部１５ａは、ふとん乾燥機本体６に対して鉛直方向に移動自在に設けられる。
【００１８】
搭載部１５ｂは、ガイド部１５ａの上端に連結される。搭載部１５ｂの上部は、上方に凸となる半球状に形成される。搭載部１５ｂの上部の一部には、切り欠きが形成される。切り欠きは、搭載部１５ｂの上部の下縁部一側から上端部に向けて形成される。
【００１９】
センサ部１５ｃの一部には、検出端部が設けられる。センサ部１５ｃは、検出端部を搭載部１５ｂの切り欠き内に配置させた状態で、搭載部１５ｂの上部と下部との間に配置される。センサ部１５ｃは、搭載部１５ｂの上部とともに、モータ（図示せず）等の駆動力によって搭載部１５ｂの下部の鉛直中心軸を中心に回転自在に設けられる。センサ部１５ｃは、検出端部が搭載部１５ｂの上部の切り欠きに沿って移動するように、モータ（図示せず）等の駆動力によって水平軸を中心に回転自在に設けられる。
【００２０】
次に、図２を用いて、ふとん乾燥機の利用方法を説明する。
まず、敷きふとん１の上にふとん乾燥マット３が配置される。その後、ふとん乾燥マット３の上に掛けふとん２が配置される。この状態で、ふとん乾燥マット３の差込口４にジャバラホース１０が差し込まれる。この状態で、ジャバラホース１０が面ファスナ５で固定される。その後、人感センサ１５のセンサ部１５ｃが掛けふとん２よりも高い位置に配置されるように、ガイド部１５ａの鉛直方向への移動量が調整される。
【００２１】
その後、スイッチ１３がＯＮされる。これにより、制御部１６が温風供給装置７を通電する。この通電により、送風機８が外部から空気を取り込む。取り込まれた空気は、発熱体９で加熱される。加熱された空気は、ジャバラホース１０を介してふとん乾燥マット３に送り込まれる。なお、場合によっては、取り込まれた空気は、常温のまま、ジャバラホース１０を介してふとん乾燥マット３に送り込まれる。
【００２２】
送り込まれた空気は、差込口４から漏れることなく、ふとん乾燥マット３内の風路を通過する。当該空気は、ふとん乾燥マット３の開口部から敷きふとん１と掛けふとん２とに吹き付けられる。吹き付けられた空気は、概ね５０度〜７０度程度となっている。
【００２３】
ふとん乾燥機の動作中は、安全装置も動作する。この動作により、敷きふとん１、掛けふとん２、ふとん乾燥機本体６の異常加熱時の対策が行われる。
【００２４】
本実施の形態においては、スイッチ１３がＯＮしてから５分程度経過すると、人感センサ１５が動作を開始する。具体的には、搭載部１５ｂの下部の鉛直中心軸を中心としてセンサ部１５ｃが自動で回転する。その結果、検出領域が敷きふとん１と掛けふとん２の方向の全域を往復するように、検出領域の方向が変化する。この状態で、人感センサ１５は、ふとん乾燥機の運転が終了まで、センサ部１５ｃでの人の存否を検知し続ける。
【００２５】
次に、操作部１２を使ってふとん乾燥モードに設定した人物が退出した後、他の人物が乾燥運転中に誤ってふとん乾燥マット３の上で就寝しようとした場合を考える。この場合、他の人は人感センサ１５に検知される。その後、人感センサ１５は、検出信号を制御部１６に送信する。
【００２６】
この検知信号に基づいて、制御部１６は、ランプ１４を点滅させたり、音を鳴らしたりする。さらに、制御部１６は、スイッチ１３のＬＥＤ（図示せず）の全てを点灯させたり、点滅させたりする。これにより、就寝してはいけない状態であることが他の人物に報知される。
【００２７】
これと同時に、制御部１６は、ふとん乾燥機本体６の電源をＯＦＦにする。これにより、温風供給装置７への通電が遮断される。この遮断により、送風機８の動作と発熱体９の動作とが停止する。この停止により、高温の風がふとん乾燥マット３に送り続けられる状態ではなくなる。その結果、他の人物がふとん乾燥マット３の上で実際に就寝しても、高温の風やふとん乾燥マット３が他の人物に接触し続けることはない。
【００２８】
次に、操作部１２を使ってふとん乾燥モードに設定した人物が戻ってきた場合を説明する。この場合、当該人物は、ランプ１４の点滅等により本来のふとん乾燥機能が停止していることを認識する。
【００２９】
以上で説明した実施の形態１によれば、人感センサ１５が人を検知した場合に、発熱体９は、風の加熱を停止する。このため、高温の風やふとん乾燥マット３が人に接触し続けることを防止できる。
【００３０】
また、人感センサ１５は、検出領域が変化するように設けられる。このため、寝室の形状、敷きふとん１や掛けふとん２の高さ等、各家庭の状況に応じて、人感センサ１５の検出領域を調整することができる。この調整により、就寝しようとする人のみを確実に検知することができる。
【００３１】
また、人感センサ１５は、検出領域の方向が自動で変化するように設けられる。このため、広い範囲で人を検知することができる。これにより、多くの人感センサ１５を使用したときの検出領域と同等の検出領域を少ない人感センサ１５で確保することができる。
【００３２】
なお、人感センサ１５が人を検知した場合に、ふとん乾燥機本体６の設定を送風モードに切り替えるようにしてもよい。この場合、送風機８は、ふとん乾燥マット３に風を送り続ける。このため、ふとん乾燥マット３に残った高温の空気を追い出すことができる。これにより、ふとん乾燥マット３内の空気の温度を下げることができる。その結果、ふとん乾燥マット３をより早く冷却することができる。
【００３３】
本実施の形態においては、敷きふとん１等を直す人や敷きふとん１等の近傍を通り過ぎる人も、人感センサ１５に検知され得る。この場合に、温風供給装置７への通電が遮断されると、ふとん乾燥機の使い勝手が悪くなる。
【００３４】
そこで、使い勝手を向上するために、人感センサ１５が人を検知してから一定時間経過後に人感センサ１５が人を検知していない場合に、ふとん乾燥モードを復帰させるようにしてもよい。この場合、敷きふとん１等を直す人や敷きふとん１等の近傍を通り過ぎる人が検知されたとしても、敷きふとん１と掛けふとん２の乾燥を再開することができる。
【符号の説明】
【００３５】
１  敷きふとん
２  掛けふとん
３  ふとん乾燥マット
４  差込口
５  面ファスナ
６  ふとん乾燥機本体
７  温風供給装置
８  送風機
９  発熱体
１０  ジャバラホース
１１  吹出口
１２  操作部
１３  スイッチ
１４  ランプ
１５  人感センサ
１５ａ  ガイド部
１５ｂ  搭載部
１５ｃ  センサ部
１６  制御部
【図１】
2012210314.tif 000003
【図２】
2012210314.tif 000004